(57)【要約】【課題】光ディスクの再生を開始する際に記録層から管理情報等を読み込むのに時間がかかり、使い勝手が悪いという問題がある。また、次の層を記録或いは再生するときには光ビームを半径方向に大きく移動させる必要が生じ、記録或いは再生が中断する時間が長くなるという問題がある。【解決手段】基準層を記録再生可能とし、ディスクの管理情報等を基準層に記録し、この情報を再生することにより達成される。また、基準層をトラックのスパイラルの方向が異なる２層で構成し、記録層の記録或いは再生する層に応じて光ビームを集光する基準層を変えることにより達成される。【選択図】  図４
2011192322.tif 000002
【特許請求の範囲】
【請求項１】
アドレス情報が付加されたスパイラル状トラックを有する基準層と、前記基準層のトラックに追従して、所定の深さ位置で情報の記録及び／又は再生が可能な記録層とを有する光ディスクに対して情報を記録及び／又は再生する光ディスク装置であって、
前記基準層のトラック上に集光される第１のレーザ光を出射する第１の光源と、
前記第１のレーザ光が集光された前記基準層のトラックに追従して、前記記録層の所定の深さ位置に集光される第２のレーザ光を出射する第２の光源とを有し、
前記第２のレーザ光が集光される前記記録層の深さ位置に応じて、前記第１のレーザ光が、トラックのスパイラル方向が互いに異なる２つの基準層のうち対応するスパイラル方向の基準層のトラック上に集光されることを特徴とする光ディスク装置。
【請求項２】
請求項１に記載の光ディスク装置であって、
前記第２のレーザ光を前記記録層の所定の深さ位置に集光して前記記録層に情報を記録する場合、前記記録層の深さ方向に対し隣接する記録面とスパイラル方向が異なる方向となるように、前記第１のレーザ光が対応するスパイラル方向の基準層のトラック上に集光されることを特徴とする光ディスク装置。
【請求項３】
請求項１に記載の光ディスク装置であって、
前記記録層の第１の深さ位置で前記第２のレーザ光を集光して、情報の記録又は再生をした後、前記第１の深さ位置と異なる第２の深さ位置へと前記第２のレーザ光の集光位置を切り替える場合、第１のレーザ光の集光位置を所定の基準層からスパイラル方向の異なる他の基準層へと移動させることを特徴とする光ディスク装置。
【請求項４】
請求項１に記載の光ディスク装置であって、
前記記録層の第１の深さ位置で前記第２のレーザ光を集光して、情報の記録又は再生をした後、前記第１の深さ位置と異なる第２の深さ位置へと前記第２のレーザ光の集光位置を切り替える場合、第１のレーザ光の集光位置を所定の基準層からスパイラル方向の異なる他の基準層へと移動した後、前記第２のレーザ光の集光位置を前記記録層の前記第２の深さ位置へ切り替えるよう制御することを特徴とする光ディスク装置。
【請求項５】
請求項１に記載の光ディスク装置であって、
前記第１のレーザ光が前記基準層の所定領域に集光されることにより、前記記録層の所定の深さ位置に形成された記録面のスパイラル方向を示す管理情報を記録又は再生が可能であることを特徴とする光ディスク装置。
【請求項６】
請求項１に記載の光ディスク装置であって、
前記第１のレーザ光が前記基準層の所定領域に集光されることにより、前記記録層に対して情報を記録するごとに変更される所定の管理情報を記録及び再生が可能であることを特徴とする光ディスク装置。
【請求項７】
情報を記録及び／又は再生が可能な光ディスクであって、
アドレス情報が付加されたスパイラル状トラックを有する基準層と、
前記基準層のトラックに追従して、所定の深さ位置で情報の記録及び／又は再生が可能な記録層とを有し、
前記基準層は、トラックのスパイラル方向が互いに異なる２つの層で構成されたことを特徴とする光ディスク。
【請求項８】
請求項７に記載の光ディスクであって、
前記基準層を情報の記録及び再生が可能な層としたことを特徴とする光ディスク。
【請求項９】
請求項７に記載の光ディスクであって、
前記記録層の所定の深さ位置に形成された記録面のスパイラル方向を示す管理情報を、前記基準層に対し記録又は再生が可能であることを特徴とする光ディスク。
【請求項１０】
請求項７に記載の光ディスクであって、
前記記録層に対して情報を記録するごとに変更される所定の管理情報を、前記基準層に対し記録又は再生が可能であることを特徴とする光ディスク。
【請求項１１】
アドレス情報が付加されたスパイラル状トラックを有する基準層と、前記基準層のトラックに追従して、所定の深さ位置で情報の記録が可能な記録層とを有する光ディスクに対して情報を記録する光ディスク装置の記録方法であって、
前記光ディスク装置は、前記基準層のトラック上に集光される第１のレーザ光を出射する第１の光源と、前記第１のレーザ光が集光された前記基準層のトラックに追従して、前記記録層の所定の深さ位置に集光される第２のレーザ光を出射する第２の光源とを有し、
前記第２のレーザ光を集光する前記記録層の深さ位置に応じて、前記第１のレーザ光を、トラックのスパイラル方向が互いに異なる２つの基準層のうち対応するスパイラル方向の基準層のトラック上に集光することを特徴とする記録方法。
【請求項１２】
請求項１１に記載の記録方法であって、
前記記録層の第１の深さ位置で前記第２のレーザ光を集光して、情報の記録をした後、前記第１の深さ位置と異なる第２の深さ位置へと前記第２のレーザ光の集光位置を切り替える場合、第１のレーザ光の集光位置を所定の基準層からスパイラル方向の異なる他の基準層へと移動させることを特徴とする記録方法。
【請求項１３】
アドレス情報が付加されたスパイラル状トラックを有する基準層と、前記基準層のトラックに追従して、所定の深さ位置で情報の再生が可能な記録層とを有する光ディスクに対して情報を記録する光ディスク装置の再生方法であって、
前記光ディスク装置は、前記基準層のトラック上に集光される第１のレーザ光を出射する第１の光源と、前記第１のレーザ光が集光された前記基準層のトラックに追従して、前記記録層の所定の深さ位置に集光される第２のレーザ光を出射する第２の光源とを有し、
前記第２のレーザ光を集光する前記記録層の深さ位置に応じて、前記第１のレーザ光を、トラックのスパイラル方向が互いに異なる２つの基準層のうち対応するスパイラル方向の基準層のトラック上に集光することを特徴とする再生方法。
【請求項１４】
請求項１３に記載の再生方法であって、
前記記録層の第１の深さ位置で前記第２のレーザ光を集光して、情報の再生をした後、前記第１の深さ位置と異なる第２の深さ位置へと前記第２のレーザ光の集光位置を切り替える場合、第１のレーザ光の集光位置を所定の基準層からスパイラル方向の異なる他の基準層へと移動させることを特徴とする再生方法。
【発明の詳細な説明】
【技術分野】
【０００１】
本発明は、光ディスクの基準層のトラックに追従しながら、記録層の所望の深さ位置に情報の記録及び／又は再生を行なう体積記録型の光ディスク装置及び光ディスク等に関する。
【背景技術】
【０００２】
近年、基準層のトラックに追従しながら、記録層の所定の深さ位置に情報を記録する光ディスク装置及び光ディスクが開発されている（特許文献１参照）。これは、体積記録型光ディスクに２系統の光ビームを同一焦点位置で干渉させる事によって、回折限界サイズのマイクロリフレクタ（微小ホログラム）が形成されることを利用して、記録層における所望の深さ位置に情報を記録するものである。
【０００３】
また、マイクロリフレクタ技術において、特許文献２には、「光ディスクに２層設けられた位置決め層を利用して記録層内の目標位置に光ビームを集光する際の焦点位置を高精度に制御し得るようにする」ことを課題とし、「光ディスク装置２０は、トラッキングチルトエラー信号生成回路２３Ｆによって（６）式に従いトラッキングシフトエラー信号ＳＴＥ１及びＳＴＥ２を目標位置ＰＧの深さｄに応じた比率で加算することによりトラッキングチルトエラー信号ＳＬＥ１を算出し、これを基に対物レンズ１１をトラッキングチルト方向へ回転駆動することにより、青色光ビームＬｂ１の焦点Ｆｂ１をトラッキングシフト方向へ移動させて目標位置ＰＧに合わせることができ、さらに対物レンズ１１及び１２を介した青色光ビームＬｂ１の検出結果を基に、可動ミラー６２における反射面６２Ａの角度をトラッキングシフト方向に制御することにより、焦点Ｆｂ２を焦点Ｆｂ１に合わせることができる。」との記載がある（特許文献２、要約参照）。
【０００４】
特許文献３には、「記録層の異なる深さ位置に情報を記録可能な光ディスクに対して、迅速に情報を記録及び／又は再生できる光情報記録再生装置を提供する」ことを課題として、「記録層における所定の深さ位置に情報を記録する際に、その深さ位置に関する情報（例えばＮｏ．１等）を記録するので、情報の記録／再生中に、例えば振動等の外乱によって、半導体レーザＬＤからの光束が別な深さ位置に飛んでしまったような場合でも、先に情報の記録／再生を行っていた深さ位置（１層目）の情報を記憶しておくことで、記憶された深さ位置の情報に基づいて直ちに元の深さ位置（１層目）に復帰でき、遅れなく情報の記録／再生を行うことができる。」との記載がある（特許文献３、要約参照）。
【先行技術文献】
【特許文献】
【０００５】
【特許文献１】特開２００９−１８７６３５号公報
【特許文献２】特開２００９−１７００３６号公報
【特許文献３】特開２００９−６４５４３号公報
【発明の概要】
【発明が解決しようとする課題】
【０００６】
上述のマイクロリフレクタ方式では、基準層に形成されたトラックに追従しながらマイクロリフレクタにより記録層の所定の深さ位置に記録を行うため、基準層のトラックのスパイラルと同じ軌跡で記録層への情報の記録或いは再生が行われる。しかしながら、従来の技術では、例えば、基準層のトラックが内周から外周に向かってスパイラル状に形成されていると、マイクロリフレクタにより記録層に記録される軌跡は全ての層が同じように内周から外周に向かってスパイラル状に形成されることになるため、最外周において記録或いは再生し終わったときに、記録層中の次の層を記録或いは再生するときには最内周に光ビームを移動させる必要が生じ、記録或いは再生が中断する時間が長くなるという問題があった。
【０００７】
本発明は、上述した問題に鑑みてなされたものであり、基準層に追従して記録層に対して記録・再生を行う光ディスク記録再生方式において、光ビームをディスクの半径方向に移動させる時間を短縮し、記録或いは再生が中断する時間を短くすることを目的とする。
【課題を解決するための手段】
【０００８】
本願において開示される発明の代表的な一例を示せば以下の通りである。すなわち、アドレス情報が付加されたスパイラル状トラックを有する基準層と、前記基準層のトラックに追従して、所定の深さ位置で情報の記録及び／又は再生が可能な記録層とを有する光ディスクに対して情報を記録及び／又は再生する光ディスク装置であって、前記基準層のトラック上に集光される第１のレーザ光を出射する第１の光源と、前記第１のレーザ光が集光された前記基準層のトラックに追従して、前記記録層の所定の深さ位置に集光される第２のレーザ光を出射する第２の光源とを有し、前記第２のレーザ光が集光される前記記録層の深さ位置に応じて、前記第１のレーザ光が、トラックのスパイラル方向が互いに異なる２つの基準層のうち対応するスパイラル方向の基準層のトラック上に集光されることを特徴とする。
【発明の効果】
【０００９】
本発明の代表的な実施の形態によれば、基準層に追従して記録層に対して記録・再生を行う光ディスク記録再生方式において、光ビームをディスクの半径方向に移動させる時間を短くすることが可能となり、記録或いは再生が中断する時間を短くすることができる。
【図面の簡単な説明】
【００１０】
【図１】本実施の形態による光ディスク装置の構成を示すブロック図である。
【図２】光ディスクの基準層ＲＬのトラックのスパイラル方向の一例を示す模式図である。
【図３】赤色光ビームと青色光ビームの焦点位置の関係を示す模式図である。
【図４】第１実施例の光ディスクの詳細な構成を示す模式図である。
【図５】第１実施例における再生処理の詳細な手順を示すフローチャートである。
【図６】第１実施例における記録処理の詳細な手順を示すフローチャートである。
【図７】第１実施例における２光子吸収化合物を用いた記録層を有する光ディスクに記録・再生を行う光ディスク装置の構成を示すブロック図である
【図８】第２実施例における光ディスク装置の記録・再生の手順を示すフローチャートである。
【図９】第２実施例における再生処理の詳細な手順を示すフローチャートである。
【図１０】第２実施例における記録処理の詳細な手順を示すフローチャートである。
【発明を実施するための形態】
【００１１】
以下、図面を参照しながら、各実施形態について説明する。
【実施例１】
【００１２】
図１は本実施例における光ディスク装置の構成を示すブロック図である。
光ディスク１は、記録或いは再生を行うトラックのアドレス及び記録或いは再生のためのディスク固有の情報がウォブルされた案内溝としてトラックが形成された基準層ＲＬと、ユーザのデータを基準層ＲＬからの距離が異なる複数の深さ位置に記録可能な記録層ＷＬを有している。
【００１３】
光ピックアップ２は基準層ＲＬにサーボ制御を行うとともに、ウォブルされたトラックからトラックのアドレス及びディスク固有の情報を再生し、記録層に記録するデータを管理するための情報等を記録・再生するためのサーボ光学系と、基準層ＲＬからの距離が異なる複数の深さ位置にデータを記録・再生するための情報光学系で構成されている。
【００１４】
まず、記録動作について説明を行う。光ピックアップ２において、サーボ用のレーザ２０１は例えば波長約６５０［ｎｍ］の赤色光ビームを出射する半導体レーザであり、レーザ駆動回路５の制御に基づいて所定光量の赤色光ビームＬｒ１を出射し、コリメータレンズ２０２へ入射させる。コリメータレンズ２０２は、赤色光ビームＬｒ１を発散光から平行光に変換し、ビームスプリッタ２０３へ入射させる。ビームスプリッタ２０３は、光ビームの波長により反射率が異なる波長選択性（ダイクロイック性）を有しており、波長約６５０［ｎｍ］の光ビームをほぼ１００％の割合で反射すると共に、波長約４０５［ｎｍ］の光ビームをほぼ１００％の割合で透過させるようにしている。これにより波長約６５０［ｎｍ］の赤色光ビームＬｒ１をほぼ１００％の割合で反射し、次のビームスプリッタ２０４へ入射させる。ビームスプリッタ２０４を透過した赤色光ビームＬｒ１は対物レンズ２０５へ入射される。対物レンズ２０５は、赤色光ビームＬｒ１を集光し、光ディスク１の基準層ＲＬへ向けて照射する。このとき赤色光ビームＬｒ１は、光ディスク１の基準層ＲＬにおいて反射され、赤色光ビームＬｒ１と反対方向へ向かう赤色反射光ビームＬｒ２となる。
【００１５】
赤色反射光ビームＬｒ２は対物レンズ２０５により平行光に変換され、ビームスプリッタ２０４へ入射される。このとき赤色反射光ビームＬｒ２は、ビームスプリッタ２０４により反射され、集光レンズ２０７へ入射される。集光レンズ２０７は赤色光ビームＬｒ２を収束させ、フォトディテクタ２０８へ照射する。信号生成回路７ではフォトディテクタ２０８の出力からフォーカス誤差信号及びトラッキング誤差信号等のサーボ制御のための信号と、基準面ＲＬに形成されたウォブルされたトラックから光ディスク１の回転を制御するための回転同期信号及びトラックのアドレスを再生する信号と、記録層ＷＬに記録を行うための光ビームの強度等のディスク固有の情報、或いは記録層ＷＬに記録したユーザデータを管理するための情報等を再生するための信号を生成し、システムコントローラ４に出力する。システムコントローラ４では信号生成回路７からのフォーカス誤差信号及びトラッキング誤差信号に基づいてフォーカス制御信号及びトラッキング制御信号をアクチュエータ駆動回路８に出力する。対物レンズ２０５はアクチュエータ２０６と一体で動くように構成されており、アクチュエータ駆動回路１０の出力に応じてアクチュエータ２０６をフォーカス方向及びトラッキング方向に駆動することにより赤色光ビームＬｒ１が基準層ＲＬに合焦した状態でトラックを追従するようにサーボ制御が行われる。また、システムコントローラ４では信号生成回路７から出力される回転同期信号に基づいてスピンドル制御信号をスピンドル駆動回路１１に出力する。スピンドル駆動回路１１の出力によりスピンドルモータ３を駆動することにより、スピンドルモータ３に装着されたディスク１が所定の回転速度となるように制御が行われる。
【００１６】
また、光ディスク１の基準層ＲＬに形成されたトラックは例えば図２に示すようにスパイラル状に形成されており、赤色光ビームＬｒ１が基準層のトラックを追従するようにトラッキング制御を行うことによりディスク１の内周から外周まで連続して記録或いは再生を行うことが可能となっている。基準層ＲＬの詳細な構成については、後に説明をする。
【００１７】
以上のように、光ピックアップ２のサーボ光学系では、赤色光ビームＬｒ１を光ディスク１の基準層ＲＬに照射し、その反射光である赤色反射光ビームＬｒ２の受光結果を基に、システムコントローラ４の制御に基づいて対物レンズ２０５のフォーカス制御及びトラッキング制御を行い、赤色光ビームＬｒ１を基準層ＲＬのトラックに追従させるようにしている。なお、赤色光ビームでの基準層ＲＬへの記録/或いは再生における光ディスク１の傾きによるコマ収差の影響を考慮して、赤色光ビームが入射する側の光ディスク１の表面から基準層ＲＬまでの距離は０．６ｍｍ程度とするのが望ましい。
【００１８】
情報光学系は、情報記録媒体としての光ディスク１に対し、互いに逆方向からからそれぞれ青色光ビームを照射し、記録層ＷＬ内で両光ビームの焦点を同一の位置に合わせるようにしている。
【００１９】
情報光学系において、データを記録・再生するためのレーザ２０９は、例えば波長約４０５［ｎｍ］の青色レーザ光を出射する半導体レーザであり、レーザ駆動回路６の制御に基づいて所定光量の青色光ビームＬｂ０を出射し、コリメータレンズ２１０へ入射させる。コリメータレンズ２１０は、青色光ビームＬｂ０を発散光から平行光に変換し、ビームスプリッタ２１１へ入射させる。ビームスプリッタ２１１は、光ビームを約５０％の割合で透過し、残りの約５０％を反射するようになされている。これにより、青色光ビームＬｂ０の約５０％を透過することにより青色光ビームＬｂ１とし、残りの約５０％を反射することにより青色光ビームＬｂ２とする。青色光ビームＬｂ１は、ミラー２１２により反射された後、ビームスプリッタ２１３へ入射される。ビームスプリッタ２１３は、青色光ビームＬｂ１を所定の割合で透過させ、リレーレンズ２１４へ入射させる。リレーレンズ２１４は、可動レンズ２１４Ａにより青色光ビームＬｂ１を平行光から収束光又は発散光に変換し、さらに固定レンズ２１４Ｂにより当該青色光ビームＬｂ１の収束状態を変化させて、ビームスプリッタ２０３へ入射させる。
【００２０】
ここで可動レンズ２１４Ａは、図示しないアクチュエータにより青色光ビームＬｂ１の光軸方向に移動されるようになされおり、リレーレンズ駆動回路９の出力に基づいて可動レンズ２１４Ａを移動させることにより、固定レンズ２１４Ｂから出射される青色光ビームＬｂ１の収束状態を変化させるようにしている。
【００２１】
ビームスプリッタ２０３は、青色光ビームＬｂ１をその波長に応じて透過し、ビームスプリッタ２０４へ入射させる。ビームスプリッタ２０４は、青色光ビームＬｂ１を所定の割合で透過し、対物レンズ２０５へ入射させる。対物レンズ２０５は、青色光ビームＬｂ１を集光し、光ディスク１の基準層ＲＬを透過して記録層ＷＬ内に合焦する。ここで青色光ビームＬｂ１の青色光焦点Ｆｂ１の位置は、リレーレンズ２１４の固定レンズ２１４Ｂから出射される際の収束状態により定められることになる。すなわち青色光焦点Ｆｂ１は、可動レンズ２１４Ａの位置に応じて記録層ＷＬ内をフォーカス方向に移動することになる。これにより、光ディスク１の基準層ＲＬ側から青色光ビームＬｂ１を照射して焦点Ｆｂ１を記録層ＷＬ内に位置させ、さらにリレーレンズ２１４における可動レンズ２１４Ａの位置に応じて当該焦点Ｆｂ１の基準層ＲＬからの深さＲｄを調整するようになされている。可動レンズ２１４Ａの移動距離と青色光ビームＬｂ１の青色光焦点Ｆｂ１の移動距離とがほぼ比例関係となるように設計されており、例えば可動レンズ２１４Ａを１［ｍｍ］移動させると、青色光ビームＬｂ１の青色光焦点Ｆｂが３０［μｍ］移動するようにしている。
【００２２】
一方、ビームスプリッタ２１１において反射された青色光ビームＬｂ２は、シャッター２２２に入射する。シャッター２２２はシステムコントローラ４からの指令に従ってシャッター駆動回路１２の出力により駆動され、記録時にはシャッターが開とされてビームスプリッタ２１１から入射した青色光ビームＬｂ２を透過し、再生時にはシャッターが閉とされてビームスプリッタ２１１から入射した青色光ビームＬｂ２を遮断する。シャッター２２２を透過した青色光ビームＬｂ２はミラー２１７及び２１８において順次反射された後、リレーレンズ２１９へ入射される。リレーレンズ２１９は、リレーレンズ２１４と同様に構成されており、可動レンズ２１４Ａ及び固定レンズ２１４Ｂとそれぞれ対応する可動レンズ２１９Ａ及び固定レンズ２１９Ｂを有している。リレーレンズ２１９は、可動レンズ２１９Ａにより青色光ビームＬｂ２を平行光から収束光又は発散光に変換し、さらに固定レンズ２１９Ｂにより当該青色光ビームＬｂ２の収束状態を変化させて、対物レンズ２２０へ入射させる。またリレーレンズ２１９は、リレーレンズ２１４と同様、リレーレンズ駆動回路９の出力に基づいてアクチュエータ（図示せず）によって可動レンズ２１９Ａを移動させることにより、固定レンズ２１９Ｂから出射される青色光ビームＬｂ２の収束状態を変化させ得るようになされている。
【００２３】
対物レンズ２２０は、対物レンズ２０５と同様の光学特性を有しており、青色光ビームＬｂ２を集光し、光ディスク１の記録層ＷＬへ照射する。ここで当該青色光ビームＬｂ２の焦点Ｆｂ２の位置は、リレーレンズ２１９の固定レンズ２１９Ｂから出射される際の収束状態により定められることになる。すなわち青色光焦点Ｆｂ２は、可動レンズ２１９Ａの位置に応じて記録層ＷＬ内をフォーカス方向に移動することになる。これにより、光ディスク１の記録層ＷＬ側から青色光ビームＬｂ２を照射して焦点Ｆｂ２を記録層ＷＬ内に位置させ、さらにリレーレンズ２１９における可動レンズ２１９Ａの位置に応じて当該焦点Ｆｂ２の基準層ＲＬからの深さＲｄ２を調整するようになされている。可動レンズ２１９Ａの移動距離と青色光ビームＬｂ２の青色光焦点Ｆｂの移動距離とがほぼ比例関係となるように設計されており、例えば可動レンズ２１９Ａを１［ｍｍ］移動させると、青色光ビームＬｂ２の青色光焦点Ｆｂ２が３０［μｍ］移動するようにしている。
【００２４】
青色光ビームＬｂ２は、焦点Ｆｂ２において一度収束した後、発散しながらさらに進行する。以下、この光ビームを青色透過光ビームＬｂ３と呼ぶ。青色透過光ビームＬｂ３は、対物レンズ２０５へ入射されることにより発散角が調整された後、青色光ビームＬｂ１の光路を反対方向へ辿るように、ビームスプリッタ２０４、ビームスプリッタ２０３及びリレーレンズ２１４を順次介して、ビームスプリッタ２１３へ入射される。
【００２５】
ビームスプリッタ２１３は、青色透過光ビームＬｂ３を所定の割合で反射し、集光レンズ２１５により収束させてフォトディテクタ２１６へ照射する。フォトディテクタ２１６は、青色透過光ビームＬｂ３の一部を検出し、このとき検出した光量に応じた検出信号を信号生成回路８に出力する。
【００２６】
信号生成回路８では青色光ビームＬｂ１の焦点Ｆｂ１と青色光ビームＬｂ２の焦点Ｆｂ２とのフォーカス方向に関するずれ量を示すフォーカス誤差信号およびトラック方向のずれ量を示すトラッキング誤差信号を生成し、システムコントローラ４に出力する。
【００２７】
システムコントローラ４では信号生成回路８からのフォーカス誤差信号及びトラッキング誤差信号に基づいてフォーカス制御信号及びトラッキング制御信号をアクチュエータ駆動回路１０に出力する。対物レンズ２２０はアクチュエータ２２１と一体で動くように構成されており、アクチュエータ駆動回路１０の出力に応じてアクチュエータ２２１をフォーカス方向及びトラッキング方向に駆動することにより青色光ビームＬｂ２の焦点Ｆｂ２を青色光ビームＬｂ１の焦点Ｆｂ１に合わせ、青色光ビームＬｂ２の焦点Ｆｂ２を青色光ビームＬｂ１の焦点Ｆｂ１に追従させるようサーボ制御が行われる。これにより、図３に示すように青色光ビームＬｂ２と青色光ビームＬｂ１が基準層ＲＬからｎ層目に相当する深さＲｄ（ｎ）が同じ記録層ＷＬ内の焦点位置に位置付けされ、干渉することにより微小ホログラムが形成され、記録が行われる。
【００２８】
次に再生動作について説明を行う。再生において、サーボ光学系により記録時と同様にして赤色光ビームＬｒ１を光ディスク１の基準層ＲＬに照射し、その反射光である赤色反射光ビームＬｒ２の受光結果を基に、システムコントローラ４の制御に基づいて対物レンズ２０５のフォーカス制御及びトラッキング制御を行い、赤色光ビームＬｒ１を基準層ＲＬのトラックに追従させるようにしている。
【００２９】
一方、情報光学系では記録時と同様にレーザ２０９はレーザ駆動回路６の制御に基づいて再生に対応した所定光量の青色光ビームＬｂ０を出射し、コリメータレンズ２１０へ入射させる。コリメータレンズ２１０は、青色光ビームＬｂ０を発散光から平行光に変換し、ビームスプリッタ２１１へ入射させる。記録時と同様にビームスプリッタ２１１で反射した青色光ビームＬｂ２はシャッター２２２に入射する。シャッター２２２は再生時にはシステムコントローラ４からの指令に従ってシャッター駆動回路１２の出力により閉とされており、青色光ビームＬｂ２が遮断されることになる。これにより、再生時にはビームスプリッタ２１１を透過した青色光ビームＬｂ１のみが光ディスク１に照射されることになる。
【００３０】
ビームスプリッタ２１１を透過した青色光ビームＬｂ１はミラー２１２、ビームスプリッタ２１３を経てリレーレンズ２１４へ入射される。リレーレンズ２１４では青色光ビームＬｂ１の収束状態を変化させてビームスプリッタ２０３へ入射させる。
【００３１】
ビームスプリッタ２０３は、青色光ビームＬｂ１をその波長に応じて透過し、ビームスプリッタ２０４へ入射させる。ビームスプリッタ２０４は、青色光ビームＬｂ１を所定の割合で透過し、対物レンズ２０５へ入射させる。対物レンズ２０５は、青色光ビームＬｂ１を集光し、光ディスク１の基準層ＲＬを透過して記録層ＷＬ内に合焦させる。ここで青色光ビームＬｂ１の青色光焦点Ｆｂ１の位置はリレーレンズ２１４の固定レンズ２１４Ｂから出射される際の収束状態により定められ、記録層ＷＬ内にホログラムとして複数層形成された任意の層に合焦させることが可能となる。ホログラムにより反射された光は青色反射光ビームＦｂ１ｒとなり、青色光ビームＬｂ１の光路を反対方向に辿って、対物レンズ２０５、ビームスプリッタ２０４、ビームスプリッタ２０３、リレーレンズ２１４を通ってビームスプリッタ２１３に入射する。ビームスプリッタ２１３は、青色透過光ビームＬｂ１ｒを所定の割合で反射し、集光レンズ２１５により収束させ、フォトディテクタ２１６へ照射する。フォトディテクタ２１６は、検出した光量に応じた検出信号を信号生成回路８に出力する。信号生成回路８では光ディスク1に形成されたホログラムに対応した再生信号を生成し、システムコントローラ４に出力する。システムコントローラ４では再生信号に基づいて復号等の処理を行うことにより光ディスク１に記録されたデータの再生が行われる。
【００３２】
本実施例における光ディスク装置は、上記の記録動作及び再生動作の両方を行なうものとして説明するが、本発明はもちろんこれに限定されるものではない。例えば、上記の再生動作のみを行なう光ディスク装置等も、本発明に含まれるものである。
【００３３】
以下、本実施例の光ディスク及び記録再生動作における、とりわけ特徴的な構成について、詳細に説明をする。
【００３４】
図４は本実施例における光ディスク１の詳細な構成を示す模式図である。図４に示すように、基準層ＲＬは、２つの基準層を有する構成となっている。すなわち、ＲＬ（０）とＲＬ（１）はそれぞれ基準層であり、各層のトラックのスパイラルの向きは逆になっている。
【００３５】
また、ＷＬ（ｎ）は基準層側からｎ番目の記録層であり、ＷＬ（２ｍ）、すなわち偶数番目の層は基準層ＲＬ（０）と同じスパイラル方向でデータの記録が行われており、ＷＬ（２ｍ＋１）、すなわち奇数番目の層は基準層ＲＬ（１）と同じスパイラル方向でデータの記録が行われている。
【００３６】
次に、図５のフローチャートを用いて図４の光ディスクを再生する処理について詳細に説明する。
【００３７】
まず、記録層ＷＬにおいて再生する層ｎ及び記録層ＷＬの再生開始半径位置に対応した基準層ＲＬでのトラック位置ｒを設定する（Ｓ５００）。次に、再生する層ｎが偶数層か、奇数層かを判定する（Ｓ５０１）。偶数層の場合には赤色光ビームＬｒ１の焦点位置を基準層ＲＬ（０）に移動させる（Ｓ５０２）。奇数層の場合には赤色光ビームＬｒ１の焦点位置を基準層ＲＬ（１）に移動させる（Ｓ５０３）。次に青色光ビームの焦点Ｆｂ１が再生する層の深さＲｄ（ｎ）となるようにリレーレンズ２１４における可動レンズ２１４Ａの位置を移動させる（Ｓ５０４）。基準層ＲＬに形成されたトラックのアドレスに基づいて赤色光ビームＬｒ１を基準層ＲＬのトラック位置ｒに移動させる（Ｓ５０５）。これにより、青色光焦点Ｆｂ１のフォーカス方向及びトラッキング方向の位置を再生するホログラムの位置に一致させ、記録層ＷＬのｎ層に記録されたユーザデータの再生を開始する（Ｓ５０６）。ステップＳ５０７では要求されたデータを全て再生したかを判断し、データを全て再生した場合（Ｙｅｓ）には処理を終了する。データを全て再生していない場合（Ｎｏ）には、基準層ＲＬから再生されるトラックのアドレス情報から再生している層の終端まで再生したかを判断する（Ｓ５０８）。再生している層の終端まで再生していない場合（Ｎｏ）にはステップＳ５０７の処理に戻って、データの再生を続ける。再生している層の終端まで再生した場合（Ｙｅｓ）には、一旦再生を停止し（Ｓ５０９）、再生する層ｎをｎ＋１とし（Ｓ５１０）、記録層ＷＬのｎ層の再生開始半径位置に対応した基準層ＲＬでのトラック位置ｒを設定する（Ｓ５１１）。ここで、記録層ＷＬのｎ層の再生開始位置は、偶数層においては内周、奇数層においては外周に配置されている。再生する層ｎとトラック位置ｒを更新して、ステップＳ５０１に戻る。ステップＳ８１０により再生する層の奇数、偶数が変わるため、ステップ５０１では前回とは異なる処理に分岐し、異なる基準層ＲＬに焦点位置を移動させることになる。以降、再生する層ｎとトラック位置ｒを更新し、赤色光ビームＬｒ１の焦点位置を基準層ＲＬ（０）とＲＬ（１）に交互に移動させ、青色光焦点Ｆｂ１が再生する層の深さＲｄ（ｎ）を変えながら要求されたデータを全て再生するまでステップＳ５０１以降の処理を繰り返す。
【００３８】
次に、図６のフローチャートを用いて図４の光ディスクに記録を行う処理について詳細に説明する。
【００３９】
まず、記録層ＷＬにおいて記録する層ｎ及び記録層ＷＬの記録開始半径位置に対応した基準層ＲＬでのトラック位置ｒを設定する（Ｓ６００）。次に、記録する層ｎが偶数層か、奇数層かを判定する（Ｓ６０１）。偶数層の場合には赤色光ビームＬｒ１の焦点位置を基準層ＲＬ（０）に移動させる（Ｓ６０２）。奇数層の場合には赤色光ビームＬｒ１の焦点位置を基準層ＲＬ（１）に移動させる（Ｓ６０３）。次に青色光焦点Ｆｂ１、Ｆｂ２が記録する層の深さＲｄ（ｎ）となるようにリレーレンズ２１４における可動レンズ２１４Ａ及びリレーレンズ２１９における可動レンズ２１９Ａの位置を移動させる（Ｓ６０４）。基準層ＲＬに形成されたトラックのアドレスに基づいて赤色光ビームＬｒ１を基準層ＲＬのトラック位置ｒに移動させる（Ｓ６０５）。これにより、青色光焦点Ｆｂ１、Ｆｂ２のフォーカス方向及びトラッキング方向の位置を記録する位置に一致させ、記録層ＷＬのｎ層にユーザデータの記録を開始する（Ｓ６０６）。ステップＳ６０７では要求されたデータを全て記録したかを判断し、データを全て記録した場合（Ｙｅｓ）には処理を終了する。データを全て記録していない場合（Ｎｏ）には、基準層ＲＬから再生されるトラックのアドレス情報から記録している層の終端まで記録したかを判断する（Ｓ６０８）。記録している層の終端まで記録していない場合（Ｎｏ）にはステップＳ６０７の処理に戻って、データの記録を続ける。記録している層の終端まで記録した場合（Ｙｅｓ）には、一旦記録を停止し（Ｓ６０９）、記録する層ｎをｎ＋１とし（Ｓ６１０）、記録層ＷＬのｎ層の記録開始半径位置に対応した基準層ＲＬでのトラック位置ｒを設定する（Ｓ６１１）。ここで、記録層ＷＬのｎ層の記録開始位置は、偶数層においては内周、奇数層においては外周に配置されている。記録する層ｎとトラック位置ｒを更新して、ステップＳ６０１に戻る。ステップＳ６１０により記録する層の奇数、偶数が変わるため、ステップ６０１では前回とは異なる処理に分岐し、異なる基準層ＲＬに焦点位置を移動させることになる。以降、記録する層ｎとトラック位置ｒを更新し、赤色光ビームＬｒ１の焦点位置を基準層ＲＬ（０）とＲＬ（１）に交互に移動させ、青色光焦点Ｆｂが記録する層の深さＲｄ（ｎ）を変えながら要求されたデータを全て記録するまでステップＳ６０１以降の処理を繰り返す。
【００４０】
以上の実施例において、赤色光ビームＬｒ１の焦点位置を移動させる処理（Ｓ６０１からＳ６０３）の後に青色光焦点深さを設定する処理（Ｓ６０４）としているが、処理の順を変えてもよく、同時に行ってもよい。
【００４１】
以上の実施例では、互いにトラックのスパイラルの方向が異なる２層の基準層ＲＬ（０）とＲＬ（１）に交互に赤色光ビームＬｒ１の焦点位置を移動して記録を行うようにしているため、記録層ＷＬに記録されたデータも各層ごとに交互にスパイラル方向が異なる方向で記録されている。例えば、記録層ＷＬの所定の深さ位置に青色光焦点Ｆｂをあわせて情報を記録する場合、記録層ＷＬの深さ方向に対し隣接する記録面とスパイラル方向が異なる方向となるように、赤色光ビームＬｒ１が基準層ＲＬ（０）とＲＬ（１）のうち対応するスパイラル方向の基準層のトラック上に集光される。
【００４２】
言い換えれば、本実施例では、記録層ＷＬの第１の深さ位置で青色光焦点Ｆｂをあわせて、情報の記録をした後、前記第１の深さ位置と異なる第２の深さ位置へと青色光焦点Ｆｂを切り替える場合、赤色光ビームＬｒ１の集光位置を例えば基準層ＲＬ（０）からスパイラル方向の異なる他の基準層ＲＬ（１）へと移動させるよう制御する点を特徴とする。
【００４３】
これにより、ユーザデータを記録している途中に記録層が変わった場合にも、次に記録を行う層の記録開始トラック位置ｒをほぼ同じ半径位置とすることができるため、トラック移動処理を短時間で行うことができ、層切り替えによる記録停止時間を短くし、記録時間を短くすることが可能となる。また、記録されたユーザデータの再生を行う場合にも、再生する層が変わったときのトラック移動を短時間で行うことが可能となり、層切り替えによる再生停止時間を短くし、再生時間を短くすることが可能となる。すなわち、ひとつの層の記録或いは再生が終了する半径位置と、次の層に記録或いは再生を開始する半径位置が略同じとなり、層切り替えを行う際に光ビームをディスクの半径方向に移動させる時間を短くすることが可能となる。これにより、記録或いは再生が中断する時間を短くすることができる。
【００４４】
さらに、赤色光ビームＬｒ１の集光位置を、例えば基準層ＲＬ（０）からスパイラル方向の異なる他の基準層ＲＬ（１）へと移動させた後に、青色光焦点Ｆｂの位置を記録層ＷＬの前記第２の深さ位置へ切り替えるよう制御すれば、基準層ＲＬのアドレス情報を検出した状態で、記録層ＷＬの目標層（又は目標深さ位置）に青色光焦点Ｆｂの位置が移動するため、青色光焦点Ｆｂが目標層に到達したことを確認することができる。これにより、層切り替え時における青色光焦点Ｆｂの移動処理を安定して行うことができる。
【００４５】
なお、赤色光ビームでの基準層ＲＬへの記録/或いは再生における光ディスク１の傾きによるコマ収差の影響及び光ディスク１の表面から基準層ＲＬ（０）とＲＬ（１）までの距離の差による球面収差の影響を考慮して、赤色光ビームが入射する側の光ディスク１の表面から基準層ＲＬ（０）までの距離は０．６ｍｍ程度とし、基準層ＲＬ（０）とＲＬ（１）の間の距離は６０μｍ±１０μｍ程度が望ましい。
【００４６】
以上の実施例では、記録層としてマイクロホログラムにより記録を行うようにしたが、本発明はこれに限らず基準層のトラックに追従しながら記録層に深さ位置を変えて記録或いは再生を行う光ディスク又は光ディスク記録再生装置であれば、これに限定されるものではない。例えば、２光子吸収化合物を用いた記録層に基準層から深さ位置を変えて所定の深さ位置で記録或いは再生を行う光ディスク装置及び光ディスクでもよい。
【００４７】
図７は２光子吸収化合物を用いた記録層を有する光ディスクに記録・再生を行う光ディスク記録再生装置の構成を示すブロック図であり、図１と同一の機能を有するブロックには同一の番号を付し、説明を省略する。２光子吸により記録・再生を行う光ディスクではホログラムによる記録・再生のように情報光学系のレーザ２０９からの青色光ビームを2つの光束に分岐させて、互いに干渉させる必要がない。このため、図1のホログラムにより記録・再生を行う光ディスク装置よりも簡単な構成にすることができる。
【００４８】
光ピックアップ２は基準層ＲＬにサーボ制御を行うとともに、ウォブルされたトラックからトラックのアドレス及びディスク固有の情報を再生し、記録層に記録するデータを管理するための情報等を記録・再生するためのサーボ光学系と、基準層ＲＬからの距離が異なる複数の深さ位置にデータを記録・再生するための情報光学系で構成されている。
【００４９】
光ピックアップ２のサーボ光学系では、赤色光ビームＬｒ１を光ディスク１の基準層ＲＬに照射し、その反射光である赤色反射光ビームＬｒ２の受光結果を基に、システムコントローラ４の制御に基づいて対物レンズ２０５のフォーカス制御及びトラッキング制御を行い、赤色光ビームＬｒ１を基準層ＲＬのトラックに追従させるようにしている。なお、赤色光ビームでの基準層ＲＬへの記録/或いは再生における光ディスク１の傾きによるコマ収差の影響を考慮して、赤色光ビームが入射する側の光ディスク１の表面から基準層ＲＬまでの距離は０．６ｍｍ程度とするのが望ましい。
【００５０】
情報光学系は、情報記録媒体としての光ディスク１に対し、基準層ＲＬ側から青色光ビームＬｂ０を照射して焦点Ｆｂ１を記録層ＷＬ内に位置させ、さらにリレーレンズ２１４における可動レンズ２１４Ａの位置に応じて当該焦点Ｆｂ１の基準層ＲＬからの深さＲｄを調整するようになされている。
【００５１】
記録層ＷＬは、４０５［ｎｍ］の光を２光子吸収する２光子吸収材料を含有している。この２光子吸収材料は、光強度の２乗に比例して２光子吸収を生じさせることが知られており、光強度の非常に大きい光に対してのみ２光子吸収を生じさせる。
【００５２】
記録層ＷＬに情報を記録する場合には、比較的強い強度でなる青色光ビームＬｂ０を照射することにより、記録層ＷＬ内の焦点Ｆｂ１に２光子吸収により例えば２光子吸収材料を気化させて気泡を形成し、記録を行う。このようにして形成された気泡は光ディスク１のサーボ層ＲＬとほぼ平行な平面状に配置され、リレーレンズ２１４における可動レンズ２１４Ａの位置に応じて当該焦点Ｆｂ１の基準層ＲＬからの深さＲｄを変えることにより複数の記録層を形成することが可能となる。
【００５３】
一方、記録層ＷＬから情報を再生する場合には、２光子吸収が生じない弱い一定の青色光ビームＬｂ０とし、リレーレンズ２１４における可動レンズ２１４Ａの位置に応じて当該焦点Ｆｂ１の基準層ＲＬからの深さＲｄを変え、記録層ＷＬ内に２光子吸収により気泡として形成された任意の層に合焦させ、その反射光Ｌｂ０ｒをフォトディテクタ２１６で受光することにより、任意の層を再生することが可能となる。
【実施例２】
【００５４】
次に、本発明の第２の実施例について、説明する。
【００５５】
本実施例における光ディスク装置の構成については、実施例１と同様であるため、説明を省略する。
【００５６】
本実施例の光ディスク装置の記録・再生の手順について図８のフローチャートを用いて説明する。
【００５７】
まず、光ディスク１がスピンドルモータ３に装着されたのを検出し（Ｓ８００）、スピンドル制御をオンする。スピンドル駆動回路１１からはスピンドルモータ３の回転速度に対応した周波数のＦＧ信号が出力され、これに基づいて光ディスク１を所定の回転数で回転させる（Ｓ８０１）。次にサーボ光学系のレーザ２０１を点灯し（Ｓ８０２）、フォーカス引き込みを行い、赤色光ビームＬｒ１が基準層ＲＬに合焦するようにフォーカス制御を開始する（Ｓ８０３）。赤色光ビームＬｒ１が基準層ＲＬに合焦することにより、基準層ＲＬに設けられたトラックと赤色光ビームＬｒ１のずれを示すトラッキング誤差信号が検出される。このトラッキング誤差信号に基づいてトラック引き込みを行い、赤色光ビームＬｒ１が基準層ＲＬのトラックを追従するようにトラッキング制御を開始する（Ｓ８０４）。赤色光ビームＬｒ１が基準層ＲＬのトラックを追従することにより、基準層ＲＬに形成されたウォブルされたトラックからディスクの回転を制御するための回転同期信号及びトラックのアドレスを再生する信号が検出される。検出された回転同期信号に基づいてスピンドル制御が行われるとともに、赤色光ビームＬｒ１が照射しているトラックのアドレスが再生される。このアドレスに基づいて、赤色光ビームＬｒ１を基準層ＲＬの所定の半径位置のトラックに移動させ、ウォブルされたトラックとして予め記録されたディスク固有の情報を読み込む（Ｓ８０５）。次に、記録層ＷＬの欠陥部分の位置の情報等を含むディスク管理情報及びユーザデータを管理するためのファイル管理情報を基準層ＲＬの記録・再生可能なトラックから読み込む（Ｓ８０６）。ディスク管理情報としては、例えば、、記録層における追加で記録可能な容量に関する情報、最後にユーザデータを記録した層の数（すなわち最後に記録を行った青色光焦点Ｆｂの基準層ＲＬからの深さＲｄ）及びトラックのアドレス等のような記録層上の最終記録位置に関する情報、欠陥を検出したアドレス、交代先のアドレス等が含まれる。ファイル管理情報としては、例えば、ファイルが記録された層の数、トラックのアドレス、ファイルの容量、ファイルの名前等が含まれる。ステップＳ８０７において、ユーザデータの記録を行うか、再生を行うかにより分岐を行い、記録を行なう場合には、情報光学系のレーザ２０９をレーザ駆動回路６の出力にしたがって発光させることにより記録層ＷＬにデータの記録を行う（Ｓ８０８）。データを記録した後、ディスク管理情報及びファイル管理情報を基準層ＲＬの記録・再生可能なトラックに記録を行い（Ｓ８０９）、記録を終了する。ステップＳ８０７において、再生の処理に分岐した場合には、情報光学系のレーザ２０９をレーザ駆動回路６の出力にしたがって所定の光量で発光させることにより記録層ＷＬからデータの再生を行う（Ｓ８１０）。
【００５８】
次に、図９のフローチャートを用いてステップ４１０の再生処理を詳細に説明する。
【００５９】
ステップＳ４０６により取得したディスク管理情報及びファイル管理情報に基づいて、記録層ＷＬにおいて再生する層ｎ及び記録層ＷＬの再生開始半径位置に対応した基準層ＲＬでのトラック位置ｒを設定する（Ｓ９００）。次に、青色光焦点Ｆｂが再生する層ｎに対応した深さＲｄ（ｎ）となるようにリレーレンズ２１４における可動レンズ２１４Ａの位置を移動させる（Ｓ９０１）。基準層ＲＬに形成されたトラックのアドレスに基づいて赤色光ビームＬｒ１を基準層ＲＬのトラック位置ｒに移動させる（Ｓ９０２）。これにより、青色光焦点Ｆｂのフォーカス方向及びトラッキング方向の位置を再生するホログラムの位置に一致させ、記録層ＷＬのｎ層に記録されたユーザデータの再生を開始する（Ｓ９０３）。ステップＳ９０４では要求されたデータを全て再生したかを判断し、データを全て再生した場合（Ｙｅｓ）には処理を終了する。データを全て再生していない場合（Ｎｏ）には、基準層ＲＬから再生されるトラックのアドレス情報から再生している層の終端まで再生したかを判断する（Ｓ９０５）。再生している層の終端まで再生していない場合（Ｎｏ）にはステップＳ５０４の処理に戻って、データの再生を続ける。再生している層の終端まで再生した場合（Ｙｅｓ）には、一旦再生を停止し（Ｓ９０６）、再生する層ｎをｎ＋１とし（Ｓ９０７）、記録層ＷＬのｎ層の再生開始半径位置に対応した基準層でのトラック位置ｒを設定する（Ｓ９０８）。再生する層ｎとトラック位置ｒを更新して、要求されたデータを全て再生するまでステップＳ９０１以降の処理を繰り返す。
【００６０】
次に、図８の記録処理（ステップＳ８０８）について、図１０のフローチャートを用いて詳細に説明する。
【００６１】
ディスク管理情報及びファイル管理情報に基づいて、記録層ＷＬにおいて記録する層ｎ及び記録層ＷＬの記録開始半径位置に対応した基準層ＲＬでのトラック位置ｒを設定する（Ｓ１０００）。次に、青色光焦点Ｆｂが記録する層ｎに対応した深さＲｄ（ｎ）となるようにリレーレンズ２１４における可動レンズ２１４Ａ及びリレーレンズ２１９における可動レンズ２１９Ａの位置を移動させる（Ｓ１００１）。基準層ＲＬに形成されたトラックのアドレスに基づいて赤色光ビームＬｒ１を基準層のトラック位置ｒに移動させる（Ｓ１００２）。これにより、青色光焦点Ｆｂのフォーカス方向及びトラッキング方向の位置を設定し、記録層ＷＬのｎ層にユーザデータの記録を開始する（Ｓ１００３）。ステップＳ１００４では要求されたデータを全て記録したかを判断し、データを全て記録した場合（Ｙｅｓ）には処理を終了する。データを全て記録していない場合（Ｎｏ）には、基準層ＲＬから再生されるトラックのアドレス情報から記録している層の終端まで記録したかを判断する（Ｓ１００５）。記録している層の終端まで記録していない場合（Ｎｏ）にはステップＳ１００４の処理に戻って、データの記録を続ける。記録している層の終端まで記録した場合（Ｙｅｓ）には、一旦記録を停止し（Ｓ１００６）、記録する層ｎをｎ＋１とし（Ｓ１００７）、記録層ＷＬのｎ層の記録開始半径位置に対応した基準層ＲＬでのトラック位置ｒを設定する（Ｓ１００８）。記録する層ｎとトラック位置ｒを更新しながら、要求されたデータを全て記録するまでステップＳ１００１以降の処理を繰り返す。
【００６２】
マイクロリフレクタにより記録された情報を再生する場合には、情報が記録された深さ位置で光ビームを合焦させる必要がある。光ビームの合焦する深さ位置はリレーレンズの位置によって決められるが、記録した装置と再生する装置が異なる場合や環境温度の変化等によって深さ位置とリレーレンズの位置の関係は変化するため、所望の深さ位置に光ビームを合焦させるには調整動作が必要となる。したがって、ディスクの再生を開始する際にマイクロリフレクタにより記録されたディスクの欠陥部分の位置情報等を含むディスク管理情報或いはユーザデータのファイル名称、容量等のファイル管理情報を読み込むのに時間がかかり、このため例えばディスクに追加で記録可能な容量や最終記録位置、どのようなユーザデータが記録されているのか等、記録層へデータを記録するごとに変更される所定の管理情報を認識するのに時間がかかり、使い勝手が悪いという課題がある。
【００６３】
本実施例では、ディスク固有の情報、特に記録層ＷＬへ情報を記録するごとに変更される所定の管理情報を基準層ＲＬにウォブルされたトラックとして予め形成するため、ディスク固有の情報をホログラムとして記録層ＷＬに記録しておくよりも容易に作成することが可能である。また、基準層に赤色光ビームを照射することで容易にディスク固有の情報を得ることが可能である。さらに、基準層ＲＬに記録及び再生が可能なトラックを設け、このトラックにディスク管理情報及びファイル管理情報として、特に記録層ＷＬへ情報を記録するごとに変更される所定の管理情報を記録・再生することで記録層ＷＬにユーザデータを記録或いは再生する層ｎやトラック位置ｒ等の情報が得られるため、速やかに青色光焦点Ｆｂのフォーカス方向及びトラッキング方向の位置を記録或いは再生を開始する位置に一致させ、記録録或いは再生を開始すること等が可能となる。このように、ディスクの再生を開始する際に基準層に記録されたディスク管理情報或いはファイル管理情報を読み込むことで、ディスクに追加で記録可能な容量や、どのようなユーザデータが記録されているのかを短時間で知ることが可能となり、使い勝手を向上することができる。
【００６４】
また、基準層に記録する管理情報は、上述の実施例１における記録層ＷＬの所定の深さ位置に形成された記録面のスパイラル方向を示す情報であってもよい。すなわち、例えば記録層ＷＬにおけるｎ番目の記録層Ｗ（ｎ）の深さ位置又は層数ｎの情報と、当該記録層Ｗ（ｎ）に対応する基準層が基準層ＲＬ（０）であるのか、それと逆向きのスパイラルを有する基準層ＲＬ（１）であるのかを管理情報として基準層に記憶しておく。これにより、実施例１の記録・再生動作における層切り替え時の制御を確実に行うことができる。例えば、所定の記録層Ｗ（ｎ）を再生する際、赤色光ビームＬｒ１の集光位置を基準層ＲＬ（０）とＲＬ（１）のどちらにするのかを、確実に検知することができ、安定した再生動作を実現することができる。
【００６５】
もちろん、所定の記録層Ｗ（ｎ）に対応する基準層ＲＬを検知する方法はこれに限られるものではなく、実施例１で説明したような、交互にスパイラルを形成する方式を用いれば、所定の記録層Ｗ（ｎ）の層数ｎが偶数か奇数かを検知することにより、対応する基準層を確実に判別できる。
【００６６】
以上、本発明を実施の形態を参照して説明してきたが、本発明は上記実施の形態に限定して解釈されるべきではなく、適宜変更・改良が可能であることはもちろんである。例えば、第１及び第２の実施例において、追記のみが可能な基準層としてもよく、追記及び書き換えが可能な基準層としてもよい。また、図２のトラックのスパイラルの方向は外周方向としたが、内周方向のスパイラルでもよい。同様に図４ではＲＬ（０）のトラックを外周方向のスパイラル、ＲＬ（１）のトラックを内周方向のスパイラルとしたが、ＲＬ（０）のトラックを内周方向のスパイラル、ＲＬ（１）のトラックを外周方向のスパイラルとしてもよい。
【００６７】
さらに、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００６８】
１      光ディスク
２      光ピックアップ
３      スピンドルモータ
４      システムコントローラ
５、６  レーザ駆動回路
７、８  信号生成回路
９      リレーレンズ駆動回路
１０    アクチュエータ駆動回路
１１    スピンドルモータ駆動回路
１２    シャッター駆動回路
２０１    サーボ用レーザ
２０５、２２０  対物レンズ
２０６、２２１  アクチュエータ
２０８、２１６  フォトディテクタ
２０９    記録再生用レーザ
２１４、２１９  リレーレンズ
２２２    シャッター
ＲＬ      基準層
ＷＬ      記録層
【図１】
2011192322.tif 000003
【図２】
2011192322.tif 000004
【図３】
2011192322.tif 000005
【図４】
2011192322.tif 000006
【図５】
2011192322.tif 000007
【図６】
2011192322.tif 000008
【図７】
2011192322.tif 000009
【図８】
2011192322.tif 000010
【図９】
2011192322.tif 000011
【図１０】
2011192322.tif 000012